(57)【要約】  本特許明細書は、収集情報を用いて広告を提供する方法に関し、当該方法は、（ａ）販売者に関係する販売のためのオブジェクトに関する認識参照情報を受信するステップと、（ｂ）ユーザ端末装置から前記オブジェクトに関する認証基準情報を有する収集情報を集めるステップと、（ｃ）前記認証基準情報を前記認証参照情報と比較することにより前記オブジェクトを認識し、ユーザに関する情報及び前記の認識されたオブジェクトを参照することにより、前記収集に関する統計情報を計算するステップと、（ｄ）特定オブジェクトに関する選択情報が特定ユーザグループに入力されると、前記特定オブジェクトに関する広告情報を前記特定ユーザグループに提供するステップと、を有する。
2014508358.tif 000002
【特許請求の範囲】
【請求項１】
収集情報を用いて広告を提供する方法であって、
（ａ）認識参照情報収集ユニットにより、販売者サーバから販売者に関連して販売されている又は販売されるオブジェクトに関する認識参照情報を受信するステップと、
（ｂ）収集情報収集ユニットにより、ユーザ端末装置により撮られた又は近距離通信を通じて取得することにより生成された前記オブジェクトの写真に関連する認識基準情報を含むデジタルデータを有する収集情報を収集するステップと、
（ｃ）収集統計情報計算ユニットにより、前記ユーザ端末装置から収集された前記収集情報に含まれる前記デジタルデータに含まれる前記認識基準情報を、前記販売者サーバから受信した前記認識参照情報と比較することにより、前記認識基準情報に対応するオブジェクトを認識するステップであって、前記認証基準情報を送信する前記ユーザ端末装置のユーザに関する情報及び前記の認識されたオブジェクトを参照して、収集に関する統計情報を計算する、ステップと、
（ｄ）広告情報転送ユニットにより、前記販売者に前記収集に関する前記統計情報を提供するステップであって、それにより、前記販売者が前記統計情報を参照して特定オブジェクト及び特定ユーザグループに関する選択情報を入力する場合、前記の選択された特定オブジェクトに関する広告情報を前記特定ユーザグループのユーザ端末装置に提供する、ステップと、
を有し、
前記収集は、前記ユーザ端末装置を用いて前記ユーザにより収集されることが望まれる前記特定オブジェクトに関する前記認識基準情報を取得し、前記の取得された認識基準情報、前記特定オブジェクトに関する前記認識基準情報が取得されている場所及び時間に関する情報、前記特定オブジェクトに関するコメント情報、及び前記特定オブジェクトに関する画像情報に基づき認識された前記特定オブジェクトの同一性に関する少なくとも１つの情報を格納する処理であり、
前記認識基準情報は、前記オブジェクトの前記同一性を認識する際に指標として用いられる認識情報であり、前記認識参照情報は、前記オブジェクトの前記同一性を認識するために前記認識基準情報と比較される認識情報である、方法。
【請求項２】
前記認識参照情報は、対応するオブジェクト自体の画像、前記対応するオブジェクトの名称、他の認識シンボル、バーコード、ＱＲコード（登録商標）、前記対応するオブジェクトに割り当てられた近距離通信タグに関する情報、及び前記対応するオブジェクトが配置される場所に関する情報のうちの少なくとも１つを有する、請求項１に記載の方法。
【請求項３】
前記デジタルデータは、前記の認識されたオブジェクトの前記同一性に関する情報、前記認識基準情報が取得された前記場所及び時間に関する情報、及び前記認識されたオブジェクトの予め格納された画像に関する情報のうちの少なくとも１つを用いて、前記ユーザの言語で文法的に正しく結合された句又は節を含む自動コメントに関する少なくとも１つの情報を更に有する、請求項１に記載の方法。
【請求項４】
前記認識基準情報は、前記ユーザ端末装置により撮影された前記オブジェクト自体の画像に関する情報、前記オブジェクトの名称、他の認識シンボル、バーコード、ＱＲコード（登録商標）、前記ユーザ端末装置により取得された前記オブジェクトの近距離通信タグに関する情報、及び前記認識基準情報が取得された前記場所に関する情報のうちの少なくとも１つを有する、請求項１に記載の方法。
【請求項５】
前記収集に関する前記統計情報は、前記オブジェクトに関する収集の数、前記オブジェクトが収集された時間帯、前記オブジェクトが収集された場所、前記オブジェクトに関する前記収集を実行した前記ユーザ端末装置の前記ユーザに関する匿名人口統計情報のうちの少なくとも１つを有する、請求項１に記載の方法。
【請求項６】
前記広告情報は、サービスを提供する又は前記オブジェクトを販売する前記販売者により発行されるクーポンに関する情報を有する、請求項１に記載の方法。
【請求項７】
収集情報を用いて広告を提供するサーバであって、
販売者サーバから販売者に関連して販売されている又は販売されるオブジェクトに関する認識参照情報を受信する認識参照情報収集ユニットと、
ユーザ端末装置により撮られた又は近距離通信を通じて取得することにより生成された前記オブジェクトの写真に関連する認識基準情報を含むデジタルデータを有する収集情報を収集する収集情報収集ユニットと、
前記ユーザ端末装置から収集された前記収集情報に含まれる前記デジタルデータに含まれる前記認識基準情報を、前記販売者サーバから受信した前記認識参照情報と比較することにより、前記認識基準情報に対応するオブジェクトを認識し、前記認証基準情報を送信する前記ユーザ端末装置のユーザに関する情報及び前記の認識されたオブジェクトを参照して、収集に関する統計情報を計算する収集統計情報計算ユニットと、
前記販売者に前記収集に関する前記統計情報を提供し、それにより、前記販売者が前記統計情報を参照して特定オブジェクト及び特定ユーザグループに関する選択情報を入力する場合、前記の選択された特定オブジェクトに関する広告情報を前記特定ユーザグループのユーザ端末装置に提供する、広告情報転送ユニットと、
を有し、
前記収集は、前記ユーザ端末装置を用いて前記ユーザにより収集されることが望まれる前記特定オブジェクトに関する前記認識基準情報を取得し、前記の取得された認識基準情報、前記特定オブジェクトに関する前記認識基準情報が取得されている場所及び時間に関する情報、前記特定オブジェクトに関するコメント情報、及び前記特定オブジェクトに関する画像情報に基づき認識された前記特定オブジェクトの同一性に関する少なくとも１つの情報を格納する処理であり、
前記認識基準情報は、前記オブジェクトの前記同一性を認識する際に指標として用いられる認識情報であり、前記認識参照情報は、前記オブジェクトの前記同一性を認識するために前記認識基準情報と比較される認識情報である、サーバ。
【請求項８】
前記認識参照情報は、対応するオブジェクト自体の画像、前記対応するオブジェクトの名称、他の認識シンボル、バーコード、ＱＲコード（登録商標）、前記対応するオブジェクトに割り当てられた近距離通信タグに関する情報、及び前記対応するオブジェクトが配置される場所に関する情報のうちの少なくとも１つを有する、請求項７に記載のサーバ。
【請求項９】
前記デジタルデータは、前記の認識されたオブジェクトの前記同一性に関する情報、前記認識基準情報が取得された前記場所及び時間に関する情報、及び前記認識されたオブジェクトの予め格納された画像に関する情報のうちの少なくとも１つを用いて、前記ユーザの言語で文法的に正しく結合された句又は節を含む自動コメントに関する少なくとも１つの情報を更に有する、請求項７に記載のサーバ。
【請求項１０】
前記認識基準情報は、前記ユーザ端末装置により撮影された前記オブジェクト自体の画像に関する情報、前記オブジェクトの名称、他の認識シンボル、バーコード、ＱＲコード（登録商標）、前記ユーザ端末装置により取得された前記オブジェクトの近距離通信タグに関する情報、及び前記認識基準情報が取得された前記場所に関する情報のうちの少なくとも１つを有する、請求項７に記載のサーバ。
【請求項１１】
前記収集に関する前記統計情報は、前記オブジェクトに関する収集の数、前記オブジェクトが収集された時間帯、前記オブジェクトが収集された場所、前記オブジェクトに関する前記収集を実行した前記ユーザ端末装置の前記ユーザに関する匿名人口統計情報のうちの少なくとも７つを有する、請求項７に記載のサーバ。
【請求項１２】
前記広告情報は、サービスを提供する又は前記オブジェクトを販売する前記販売者により発行されるクーポンに関する情報を有する、請求項７に記載のサーバ。
【請求項１３】
請求項１乃至６のいずれか一項に記載の方法を実行するためのコンピュータプログラムを記録するコンピュータ可読記録媒体。
【発明の詳細な説明】
【技術分野】
【０００１】
本開示は、収集情報を用いて広告を提供する方法、サーバ及びコンピュータ可読記録媒体に関し、より詳細には、販売者がユーザの収集傾向に合った広告を提供でき、システムオペレータがオブジェクトを認識するための認識参照情報を取得できる方法、サーバ及びコンピュータ可読記録媒体に関する。これらは、ユーザ端末装置から収集した収集情報のデジタルデータに含まれる認識基準情報を販売者サーバから受信した認識参照情報と比較することにより、認識基準に対応するオブジェクトを認識し、認識基準情報を送信しているユーザ端末装置のユーザに関する情報及び認識したオブジェクトを参照して収集に関する統計情報を計算して、販売者サーバに統計情報を提供し、販売者が統計情報を参照して特定オブジェクト及び特定ユーザグループに関する選択情報を入力した場合、選択された特定オブジェクトに関する広告情報を特定ユーザグループのユーザ端末装置に提供することにより行われる。
【背景技術】
【０００２】
インターネットが広く用いられるにつれ、本のような過去に印刷物の形式で以前に提供された情報は、変換されたデジタルデータの形式で一般的に提供され得る。また、デジタルデータに変換された情報は、インターネット、３Ｇネットワーク等のような高速通信システムを通じてリアルタイムで膨大な数のユーザの間で共有され転送できる。したがって、デジタルデータは、印刷物が情報の共有及び転送の点で相対的に欠点を有するので、印刷物と比べてより広く用いられる。
【０００３】
特に、実際の現実に物理的に存在するオブジェクトに関連する情報を提供するとき、ユーザ端末装置を通じてリアルタイムに撮影されたオブジェクト画像又はユーザ端末装置により取得された該オブジェクトに関する他の認識情報を用いるような、該オブジェクトに関する詳細情報を提供する技術が導入されている。
【０００４】
しかしながら、上述のような実際の現実に物理的に存在する多数のオブジェクトに関連する詳細情報を含む種々のサービスを提供するとき、ユーザ端末装置により撮影された画像のような認識情報を効率的に格納することは実際には困難であり、対応する情報を体系的に記録及び格納することは、比較的高い関心のある（又は関連する）情報のみが選択的に格納されるときであっても厄介である。したがって、提供された情報により消費者のより多くの活動又は参加を促すにはある程度の制限がある。
【０００５】
例えばユーザにより望まれるオブジェクトの情報、情報の体系的な記録及び格納のサポートを提供するために、オブジェクトの画像、バーコード、ＱＲ（quick  response）コード、ＲＦＩＤ（radio-frequency  identification）タグ、等のような認識情報を用いたオブジェクトの同一性の認識処理が用いられるべきである。しかしながら、限られたリソースしか有しないサービスプロバイダの観点からは、実際には、ユーザにより望まれる全てのオブジェクト、つまり存在する可能性のある全てのオブジェクトに関連する全ての認識情報を取得し管理することは不可能である。特に、例えば特定のオブジェクトの特定の販売者により非公式に管理されているオブジェクトの認識参照情報を得ることは基本的に困難なので、オブジェクト、つまりユーザにより取得することを望まれる情報を正しく認識するサービスが提供できないという問題がある。しかしながら、オブジェクトを販売する販売者の観点からは、マーケティング、在庫管理等を効率的に行うために、ユーザ及びユーザの関心のあるオブジェクトの正確且つ有用な情報を得ることが重要である。このような情報は、通常、ユーザにより望まれるオブジェクトの情報を提供し該情報の体系的記録及び記憶をサポートするサービスプロバイダにより処理される。したがって、サービスプロバイダと販売者との間の密接な協力関係を支援し、それによりオブジェクトに関連する情報を処理及び／又は提供するときに相乗効果を生じる技術が必要である。
【発明の概要】
【発明が解決しようとする課題】
【０００６】
したがって、本発明の目的は、従来技術の上述の全ての問題を解決することである。
【０００７】
さらに、本開示の別の目的は、販売者がユーザの収集傾向に合った広告を提供でき、システムオペレータがオブジェクトを認識するために必要な認識参照情報を取得できるようにすることである。これらは、ユーザ端末装置から収集した収集情報のデジタルデータに含まれる認識基準情報を販売者サーバから受信した認識参照情報と比較することにより、認識基準に対応するオブジェクトを認識し、認識基準情報を送信しているユーザ端末装置のユーザに関する情報及び認識したオブジェクトを参照して収集に関する統計情報を計算して、販売者サーバに統計情報を提供し、販売者が統計情報を参照して特定オブジェクト及び特定ユーザグループに関する選択情報を入力した場合、選択された特定オブジェクトに関する広告情報を特定ユーザグループのユーザ端末装置に提供することにより行われる。
【課題を解決するための手段】
【０００８】
上述の目的を達成するための本開示の代表的構成は、以下の通りである。
【０００９】
本開示の一態様によると、収集情報を用いて広告を提供する方法が提供される。当該方法は、（ａ）販売者サーバから販売者に関連して販売されている又は販売されるオブジェクトに関する認識参照情報を受信するステップと、（ｂ）ユーザ端末装置により取り込まれた又は近距離通信を通じて取得されることにより生成された前記オブジェクトの写真に関連付けられた認識基準情報を含むデジタルデータを有する収集情報を収集するステップと、（ｃ）前記ユーザ端末装置から収集した前記収集情報に含まれる前記デジタルデータに含まれる前記認識基準情報を前記販売者サーバから受信した前記認識参照情報と比較することにより、前記認識基準情報に対応するオブジェクトを認識し、前記認識基準情報を送信している前記ユーザ端末装置のユーザに関する情報及び前記の認識したオブジェクトを参照して、収集に関する統計情報を計算するステップと、（ｄ）前記販売者に前記統計情報を提供するステップであって、それにより、前記販売者が前記統計情報を参照して特定オブジェクト及び特定ユーザグループに関する選択情報を入力する場合、前記の選択された特定オブジェクトに関する広告情報を前記特定ユーザグループのユーザ端末装置に提供するステップと、を有する。
【００１０】
本開示の別の態様によると、収集情報を用いて広告を提供するサーバが提供される。当該サーバは、販売者サーバから販売者に関連して販売されている又は販売されるオブジェクトに関する認識参照情報を受信する認識参照情報収集ユニットと、ユーザ端末装置により取り込まれた又は近距離通信を通じて取得されることにより生成された前記オブジェクトの写真に関連付けられた認識基準情報を含むデジタルデータを有する収集情報を収集する収集情報収集ユニットと、前記ユーザ端末装置から収集した前記収集情報に含まれる前記デジタルデータに含まれる前記認識基準情報を前記販売者サーバから受信した前記認識参照情報と比較することにより、前記認識基準情報に対応するオブジェクトを認識し、前記認識基準情報を送信している前記ユーザ端末装置のユーザに関する情報及び前記の認識したオブジェクトを参照して、収集に関する統計情報を計算する収集統計情報計算ユニットと、前記販売者に前記統計情報を提供し、それにより、前記販売者が前記統計情報を参照して特定オブジェクト及び特定ユーザグループに関する選択情報を入力する場合、前記の選択された特定オブジェクトに関する広告情報を前記特定ユーザグループのユーザ端末装置に提供する広告情報転送ユニットと、を有する。
【００１１】
さらに、他の方法及びシステム、並びに本開示を実施するための上述の方法を実行するコンピュータプログラムを記録するためのコンピュータ可読記録媒体が提供される。
【発明の効果】
【００１２】
本開示によると、販売者はユーザの収集傾向に合った広告を提供でき、システムオペレータはオブジェクトを認識するための認識参照情報を取得できるので、販売者は広告効果を最大化でき、システムオペレータは収集の対象であるオブジェクトを正確に認識する改善した機能を提供できるという利点を得ることができる。
【００１３】
本開示によると、ユーザがユーザ端末装置を用いて特定オブジェクトを自由に撮影し又は近距離通信を通じて特定オブジェクトに関する情報を取得する場合、ユーザは特定の動機を与えられる。これは、ユーザの満足感を最大化し、ユーザの参加を促すとともに、システムオペレータにより担保された膨大な参照データに基づく正確な認識結果をもたらす。
【図面の簡単な説明】
【００１４】
【図１】本開示の一実施形態による収集情報を用いて広告を提供するシステムの構成を示す概略図である。
【図２】本開示の一実施形態によるユーザ端末装置のカメラモジュール又は近距離通信モジュールを通じてオブジェクトの収集を支援するユーザ端末装置の構成を示す概略図である。
【図３】本開示の一実施形態による自動コメントに関する情報及びオブジェクト画像に関する情報を含む収集ページの一例を示す図である。
【図４】本開示の一実施形態による収集情報を用いて広告を提供する広告提供サーバの構成を示す概略図である。
【図５】本開示の一実施形態による認識基準情報を認識参照情報と比較することによりオブジェクトの同一性を認識する一例を示す図である。
【発明を実施するための形態】
【００１５】
本開示の以下の詳細な説明では、説明のために本開示が実施され得る特定の実施形態を示す添付の図面を参照する。これらの実施形態は、当業者が本開示を実施するために十分且つ詳細に記載される。理解されるべきことに、本開示の種々の実施形態は、異なるが必ずしも互いに排他的ではない。例えば、一実施形態と関連してここに記載される特定の特徴、構造、又は特性は、本開示の精神及び範囲から逸脱することなく他の実施形態の中で実施されても良い。さらに、理解されるべき点は、開示される各実施形態の中の個々の要素の位置又は配置は、本開示の精神及び範囲から逸脱することなく変更されても良い。したがって、以下の詳細な説明は限定的意味と考えられるのではなく、本開示の範囲は、適切に解釈される添付の請求の範囲、並びに請求項の等価物の全範囲によってのみ定められる。図中、同様の参照符号は幾つかの図面を通じて同一又は同様の機能を表す。
【００１６】
以下、本開示の種々の実施形態は、当業者が本開示を容易に実施できるように、添付の図面を参照して詳細に説明される。
【００１７】
ここで、用語「収集」は、ユーザの関心を引くオブジェクトをデジタル的に収集する動作を表す。より具体的には、用語「収集」は、ユーザ端末装置を用いて収集することを望まれる認識基準情報（撮影画像、近距離通信タグなど）を取得し、取得した認識基準情報を、他の追従する機能（オブジェクト認識機能、収集ページ生成及び格納機能、収集統計情報計算機能、等）を実行するサーバ等へ送信する一連の処理として定められても良い。例えば、ユーザが、本に関する情報を収集するために、彼又は彼女の端末装置を用いてその本の表紙を撮影し、撮影画像をサーバへ送信する場合、この動作は、その本に関連する収集に対応し得る。
【００１８】
さらに、「収集」は、取得した認識基準情報を、ユーザ端末装置を用いてサーバへ送信すること、認識基準情報から対応するオブジェクトを認識する処理、及び認識した対応オブジェクトの同一性に関する情報（オブジェクトの種類、特徴、等を含む）、対応オブジェクトに関する認識基準情報が取得された場所及び時間に関する情報、対応オブジェクトに関するコメントに関する情報、オブジェクトに対応する画像、等のようなデジタルデータを結合することによりページ（所謂、収集ページ）を生成し格納する処理、も含んでも良い。
【００１９】
さらに、本願明細書で用いられるように、用語オブジェクトに関する「認識基準情報」は、オブジェクトを認識する際に指標として用いられる認識情報であり、特に、オブジェクトを収集したいと望むユーザの端末装置により実際に取得できる認識情報を意味する。例えば、認識基準情報は、ユーザ端末装置により撮影されたオブジェクト自体の画像、オブジェクトの名称、他の認識シンボル、バーコード、ＱＲ（quick  response）コード、ユーザ端末装置に含まれる近距離通信モジュール（図示しない）により取得されたＲＦＩＤ（radio-frequency  identification）タグ情報、近距離通信（ＮＦＣ）タグ情報、ユーザ端末装置に含まれる場所認識モジュールにより取得されたオブジェクトの場所情報、等であっても良い。
【００２０】
また、本願明細書で用いられるように、用語オブジェクトに関する「認識参照情報」は、ユーザ端末装置により取得された認識基準情報に対応するオブジェクトを認識するために、認識基準情報と比較されるべき対象に対応する情報であり、特に、対応するオブジェクトを製造又は販売する販売者により生成及び管理された認識情報を意味する。例えば、認識参照情報は、販売者により管理されるオブジェクト自体の画像、オブジェクトの名称、他の認識シンボル、バーコード、ＱＲコード（登録商標）、ＲＦＩＤタグ、ＮＦＣタグ、販売者により配置されたオブジェクトの場所に関する情報、等であっても良い。
【００２１】
さらに、本願明細書で用いられるように、用語「近距離通信」は、オブジェクトに割り当てられた認識基準情報を取得するために用いることができる任意の可能な無線通信技術を意味し、全ての無線周波数認識技術、近距離通信技術等を含む広範な概念であることが理解される。
【００２２】
＜システム構成＞
図１は、本開示の一実施形態による収集情報を用いて広告を提供するシステム全体の構成を示す概略図である。
【００２３】
図１に示すように、本開示の一実施形態による全体システムは、ユーザ端末装置１００、広告提供サーバ２００、販売者サーバ３００、汎用ウェブサーバ４００、通信ネットワーク５００を有しても良い。ここで、販売者サーバ３００は、販売者端末装置３００を有すると考えられる。
【００２４】
先ず、通信ネットワーク５００は、有線又は無線通信のような態様に拘わらず構成でき、ＬＡＮ（local  area  network）、ＭＡＮ（metropolitan  area  network）、ＷＡＮ（wide  area  network）等のような種々の通信ネットワークを有しても良い。
【００２５】
次に、本開示の一実施形態によると、ユーザ端末装置１００は、ユーザが通信ネットワーク５００を通じて広告提供サーバ２００又はウェブサーバ４００に接続できるようにする機能を有するデジタル装置である。パーソナルコンピュータ（例えば、デスクトップコンピュータ、ノ―トブックコンピュータ、等）、ワークステーション、ＰＤＡ、ウェブパッド、携帯電話機、スマートフォン、タブレットＰＣ等のような、メモリユニットを設けられ計算能力を有するマイクロプロセッサを備えられた任意のデジタル装置は、任意の範囲で本開示によるユーザ端末装置１００として採用できる。ユーザ端末装置１００の内部構成を、以下に詳細に説明する。
【００２６】
次に、本開示の一実施形態によると、広告提供サーバ２００は、販売者サーバ３００から受信した認識参照情報を、ユーザ端末装置１００から収集した収集情報を含むデジタルデータに含まれる認識基準情報と比較し、及び認識基準情報を送信したユーザ端末装置１００のユーザに関する情報を参照することにより計算した収集に関する統計情報及び認識したオブジェクトに関する情報を販売者サーバ３００に提供することにより、認識基準情報に対応するオブジェクトを認識する機能を実行しても良い。特定オブジェクト及び特定ユーザグループに関する選択情報が販売者サーバ３００から受信される場合、特定オブジェクトの広告情報を、特定ユーザグループのユ―ザ端末装置１００に提供する。広告提供サーバ２００の内部構成を、以下に詳細に説明する。
【００２７】
次に、本開示の一実施形態によると、販売者サーバ３００は、販売者が広告提供サーバ２００に接続及び通信できるようにする機能を有するサーバであっても良い。しかしながら、コンピュータ（例えば、デスクトップコンピュータ、ノ―トブックコンピュータ、等）、ワークステーション、ＰＤＡ、ウェブパッド、携帯電話機、スマートフォン、タブレットＰＣ等のような、メモリユニットを設けられ計算能力を有するマイクロプロセッサを備えられた任意のデジタル装置は、任意の範囲で本開示による販売者サーバ３００の構成装置又は販売者サーバ３００として採用できる。より詳細には、本開示の一実施形態による販売者サーバ３００は、販売者により製造又は販売されたオブジェクトについて生成又は管理されている認識参照情報を広告提供サーバ２００へ送信する機能、ユーザの収集動作に関する統計情報を広告提供サーバ２００から受信する機能、販売者が特定オブジェクト及び特定ユーザグループに関する選択情報を入力できるようにする機能、を実行しても良く、統計情報を参照し及び対応する選択情報を広告提供サーバ２００へ送信することにより、広告の対象を識別する。（勿論、デフォルト設定で、最大統計値を有するユ―ザグループを自動的に選択するような、種々の変更が為され得る。）販売者サーバ３００は、商品又はサービスを提供するために販売者により運営されるホームページ運営サーバであっても良い。
【００２８】
次に、本開示の一実施形態によると、汎用ウェブサーバ４００は、通信ネットワーク５００を通じて広告提供サーバ２００及び／又はユーザ端末装置１００と通信を実行し、例えば広告を提供しても良い。例えば、ウェブサーバ４００はインターネット検索ポータルサイトの運営サーバであっても良く、ウェブサーバ４００はウェブコンテンツ検索エンジン（図示しない）を有し、ユーザが収集したいと望むオブジェクトに関する詳細情報を検索し、ユーザが閲覧できるように検索結果を提供しても良い。検索結果として提供される詳細情報は、対応オブジェクトに関連する価格、場所、ニュース、知識、コミュニティ、ウェブサイト、及び対応オブジェクトに関連する種々の情報片であっても良い。
【００２９】
＜ユーザ端末装置の構成＞
図２は、本開示の一実施形態によるユーザ端末装置１００のカメラモジュール又は近距離通信モジュールを通じてオブジェクトの収集を支援するユーザ端末装置１００の構成を示す概略図である。
【００３０】
図２に示すように、本開示の一実施形態によるユーザ端末装置１００は、収集実行ユニット１１０、通信ユニット１２０、制御ユニット１３０を有しても良い。本開示の一実施形態によると、収集実行ユニット１１０、通信ユニット１２０、制御ユニット１３０のうちの少なくとも一部は、ユーザ端末装置１００と通信するプログラムモジュールであっても良い。このようなプログラムモジュールは、オペレーティングシステム、アプリケーションプログラムモジュール、及び他のプログラムモジュールの形態でユーザ端末装置１００に含まれても良く、種々の良く知られている記憶装置に物理的に格納されても良い。さらに、プログラムモジュールは、ユーザ端末装置１００と通信可能な遠隔メモリ装置に格納されても良い。このようなプログラムモジュールは、以下に説明する本開示による特定のタスクを実行し又は特定の抽象データ型を実行するルーチン、サブルーチン、プログラム、オブジェクト、コンポーネント、データ構造等を有しても良いが、これらに限定されない。
【００３１】
先ず、本開示の一実施形態によると、収集実行ユニット１１０は、撮影画像又は近距離通信タグ情報を、以下に説明するオブジェクト認識の基礎である認識基準情報として取得する機能、この認識基準情報を、オブジェクト認識、収集統計情報の計算等のような追従機能を実行する広告提供サーバ２００へ送信する機能を実行しても良い。
【００３２】
さらに詳細には、収集実行ユニット１１０は、例えば、プレビューモードで、ＣＣＤカメラ等のような種々の撮影機器を用いて、例えばユーザ端末装置１００に備えられたカメラモジュール（図示しない）を用いて、ユーザ端末装置１００をリアルタイムで処理するユーザに関する景観図を受信する機能を実行しても良い。さらに、本開示の一実施形態による収集実行ユニット１１０は、ユーザ端末装置１００に備えられた近距離通信モジュール（図示しない）を用いて、オブジェクトのＲＦＩＤタグ情報、ＮＦＣタグ情報等のような近距離通信タグ情報を取得する機能を実行しても良い。
【００３３】
さらに、本開示の一実施形態による収集実行ユニット１１０は、認識基準情報自体に加えて、少なくとも１つの認識基準情報が取得された場所及び時間を用いてユーザの言語で文法的に正しくなるよう結合された句又は節に関する情報（所謂、自動コメント）、収集の対象であるオブジェクトの画像に関する情報等を含む収集ページを生成する機能、並びに、生成した収集ページを登録する要求が入力されると対応する収集ページを広告提供サーバ２００へ送信する機能を実行しても良い。
【００３４】
図３は、本開示の一実施形態による自動コメントに関する情報及びオブジェクト画像に関する情報を含む収集ページの一例を示す図である。
【００３５】
図３を参照すると、収集実行ユニット１１０は、認識基準情報となる場所（「XX  bookstore」）に関する情報及び画像が生成された時間（「October  ２０,  ２０１０」）を用いて韓国語で文法的に正しくなるよう結合された自動コメント３２０と、本のサムネイル画像３３０とを含む収集ページ３１０を生成することが分かる。ここで、収集実行ユニット１１０は、収集ページ３１０を登録する要求が受信されると、ユーザの収集ページ３１０を送信しても良い。
【００３６】
本開示の別の実施形態によると、収集実行ユニット１１０は、収集の対象であるオブジェクトに関する認識基準情報を取得して広告提供サーバ２００へ送信する機能のみを実行するのではなく、認識基準情報を認識参照情報と比較することにより、収集の対象であるオブジェクトの同一性を直接認識する機能も実行しても良い。オブジェクトの同一性を認識する構成は、「広告提供サーバの構成」の章で更に詳細に説明する。
【００３７】
次に、本開示の一実施形態によると、通信ユニット１２０は、本開示のユーザ端末装置１００が外部装置と通信できるようにする機能を実行しても良い。
【００３８】
最後に、本開示の一実施形態によると、制御ユニット１３０は、収集実行ユニット１１０と通信ユニット１２０との間のデータフローを制御する機能を実行する。つまり、制御ユニット１３０は、収集実行ユニット１１０及び通信ユニット１２０を制御して、外部からのデータフロー又はユーザ端末装置１００の構成要素間のデータフローを制御することにより、それら固有の機能の各々を実行させる。
【００３９】
＜広告提供サーバの構成＞
図４は、本開示の一実施形態による収集情報を用いて広告を提供する広告提供サーバ２００の構成を示す概略図である。
【００４０】
図４に示すように、本開示の一実施形態による広告提供サーバ２００は、認識参照情報収集ユニット２１０、収集情報収集ユニット２２０、収集統計情報計算ユニット２３０、広告情報転送ユニット２４０、通信ユニット２５０、制御ユニット２６０を有しても良い。認識参照情報収集ユニット２１０、収集情報収集ユニット２２０、収集統計情報計算ユニット２３０、広告情報転送ユニット２４０、通信ユニット２５０、制御ユニット２６０のうちの少なくとも一部は、広告提供サーバ２００と通信するプログラムモジュールであっても良い。このようなプログラムモジュールは、オペレーティングシステム、アプリケーションプログラムモジュール、及び他のプログラムモジュールの形態で広告提供サーバ２００に含まれても良く、種々の記憶装置に物理的に格納されても良い。さらに、プログラムモジュールは、広告提供サーバ２００と通信可能な遠隔メモリ装置に格納されても良い。一方、このようなプログラムモジュールは、以下に説明する本開示による特定のタスクを実行し又は特定の抽象データ型を実行するルーチン、サブルーチン、プログラム、オブジェクト、コンポーネント、データ構造等を有するが、これらに限定されない。
【００４１】
本開示の一実施形態によると、認識参照情報収集ユニット２１０は、販売者に関して販売者サーバ３００から販売されている又は将来販売されるオブジェクトに関する認識参照情報を受信し及び認識参照情報を管理する機能を実行しても良い。上述のように、認識参照情報は、ユーザ端末装置１００により実際に取得された認識基準情報に対応するオブジェクトを認識するために、認識基準情報と比較されるべき対象に関する情報であっても良い。例えば、認識参照情報は、販売者により撮影され管理されたオブジェクトの画像、販売者によりオブジェクトに割り当てられた名称、他の認識シンボル、バーコード情報、ＱＲコード（登録商標）情報、ＲＦＩＤタグ情報、ＮＦＣタグ情報、販売者により配置されたオブジェクトの場所に関する情報、等であっても良い。また、このような認識参照情報は、対応するオブジェクトと製造又は販売する販売者により主に生成され管理されても良い。
【００４２】
オブジェクトの認識参照情報は、上述のように販売者サーバ３００から収集される。よって、収集サービスプロバイダの観点からは、種々のオブジェクトに関する認識参照情報が得られ、自身で対応オブジェクトの認識参照情報を生成し管理する面倒を有しないで、オブジェクトを認識及び収集するために用いることができる。参考として、サービスプロバイダの観点からは、販売者が有する膨大なデータ（つまり、認識参照情報）を容易に収集するために、サービスプロバイダは、後述する収集統計情報計算ユニット２３０により計算された統計値を販売者に無料で提供しても良い。したがって、販売者は標的を絞った広告を実行できる。
【００４３】
本開示の別の実施形態によると、認識参照情報収集ユニット２１０は、販売者サーバ３００から収集した認識参照情報を、ユーザ端末装置１００へ送信しても良い。また、本実施形態では、対応するユーザ端末装置１００は、認識基準情報を認識参照情報と比較することにより収集の対象であるオブジェクトの同一性を認識しても良い。
【００４４】
次に、本開示の一実施形態によると、収集情報収集ユニット２１０は、ユーザ端末装置１００を用いてオブジェクトを実際に撮影することにより生成された認識基準情報、又は少なくとも１つのユーザ端末装置１００から近距離通信技術を通じて取得された結果として生成された認識基準情報収集情報を収集する機能を実行しても良い。ここで、収集情報は、収集の対象であるオブジェクトの認識基準情報を有しても良い。ユーザ端末装置１００が、本開示の別の実施形態によるオブジェクト認識、収集ページの生成等のような追従機能を更に実行する場合、収集情報は、収集の対象であるオブジェクトの同一性に関する情報、収集の対象であるオブジェクトの認識基準情報が取得された場所及び時間に関する情報、収集処理中にユーザにより入力された若しくは自動的に生成されたコメントに関する情報、収集の対象であるオブジェクトの以前に格納された画像に関する情報、等を更に有しても良い。
【００４５】
次に、本開示の一実施形態によると、収集統計情報計算ユニット２３０は、ユーザ端末装置１００から収集した収集情報に含まれる認識基準情報を、販売者サーバ３００から収集した認識参照情報と比較し、対応オブジェクトの同一性を認識し、それにより、販売者により販売されるどのオブジェクトが対応する認識基準情報に対応するオブジェクト（つまり、収集の対象であるオブジェクト）であるかを決定する機能を実行しても良い。
【００４６】
本開示の一実施形態によると、オブジェクト自体の画像、オブジェクトの名称、他の認識シンボル、バーコード、ＱＲコード（登録商標）等が認識基準情報として取得される場合、収集統計情報計算ユニット２３０は、オブジェクト認識技術、文字認識技術、バーコード認識技術等を用いてオブジェクトの同一性を認識する機能を実行しても良い。
【００４７】
ここで、種々の角度及び距離で画像に含まれる特定のオブジェクトを認識するオブジェクト認識技術として、K.Mikolajczyk  et  al.,  "A  Comparison  of  Affine  Region  Detectors,"  International  Journal  of  Computer  Vision,  November,  ２００５等が参照される（この文献の開示は、参照することによりその全体がここに組み込まれる）。この文献は、種々の角度で撮影したオブジェクトを正しく認識するために、アフィン不変領域を検出する方法を記載している。勿論、本開示に適用可能なオブジェクト認識技術は、上述の文献に記載された方法に限定されず、本開示はその種々の変更例を適用することにより実施できる。
【００４８】
さらに、画像に含まれる特定の文字列を認識する光学文字認識（ＯＣＲ）技術として、韓国特許出願番号第２００６-００７８８５０号明細書等が参照される。該特許出願の開示は、参照することによりその全体がここに組み込まれる。該特許出願は、入力画像に含まれる文字列を構成する個々の候補文字を生成し、生成した候補文字の各々について文字認識を実行する方法を記載している。ここで、本開示に適用可能な光学文字認識技術は、上述の特許出願に記載された方法に限定されず、本開示はその種々の変更例を適用することにより実施できる。
【００４９】
さらに、画像に含まれるバーコードを認識する技術として、韓国特許番号第０７９１７０４号等が参照される。該特許出願の開示は、参照することによりその全体がここに組み込まれる。この特許は、コネクションフィールド間の隣接関係を分析し、バ―コードの構造の特徴に基づき入力画像からバーコードフィールドを抽出し、単位幅の整数倍である幅を有するバー又は空白の配置において予め定められた入力幅のパターンを有する黒色ピクセルのコネクションフィールドの幅に従って、バーコードのモジュール幅として用いられる単位幅を決定することにより、バーコードを認識する方法を記載している。ここで、本開示に適用可能な文字認識技術は、上述の特許出願に記載された方法に限定されず、本開示はその種々の変更例を適用することにより実施できる。
【００５０】
次に、本開示の一実施形態によると、ＲＦＩＤタグ情報、ＮＦＣタグ情報等が認識基準情報として対応オブジェクトから近距離通信技術を用いて取得される場合、収集統計情報計算ユニット２３０は、近距離通信技術等を用いて、オブジェクトの同一性を認識する機能を実行しても良い。しかしながら、オブジェクトの同一性を認識する技術自体は、公表された技術であり、ここではその詳細な説明を省略する。しかしながら、収集統計情報計算ユニット２３０は、近距離通信技術を用いて対応オブジェクトからＲＦＩＤタグ、ＮＦＣタグなどのような認識基準情報を取得することにより対応オブジェクトの同一性を認識するとき、収集実行ユニット１１０により画像が取得される必要はない。
【００５１】
図５は、本開示の一実施形態による認識基準情報を認識参照情報と比較することによりオブジェクトの同一性を認識する一例を示す図である。
【００５２】
図５を参照すると、例えば、書籍「Dream  Like  Jobs,  Achieve  Like  Gates」が認識基準情報として取得された画像に含まれるとき、収集統計情報計算ユニット２３０は、オブジェクト認識技術、文字認識技術及び／又はバーコード認識技術を用いて、画像を販売者サーバ３００から収集された画像形式の認識参照情報と比較することにより、画像に含まれるオブジェクトを書籍「Dream  Like  Jobs,  Achieve  Like  Gates」として認識する。ＮＦＣタグが認識基準情報として取得されるとき、収集統計情報計算ユニット２３０は、ＮＦＣタグを販売者サーバ３００から収集されたＮＦＣタグ形式の認識参照情報と比較することにより、ＮＦＣタグに対応するオブジェクトを書籍「Dream  Like  Jobs,  Achieve  Like  Gates」として認識する。
【００５３】
さらに、本開示の一実施形態によると、収集統計情報計算ユニット２３０は、認識基準情報及び認識基準情報に対応すると認識されたオブジェクト（つまり、収集の対象であるオブジェクト）に関する情報を含む収集情報を送信したユーザ端末装置１００のユーザに関する情報に基づき、ユーザの収集状態に関する統計情報を計算し、統計情報を販売者サーバ３００へ提供する機能を実行しても良い。
【００５４】
さらに詳細には、本開示の一実施形態による収集統計情報は、オブジェクトに関する収集の数、オブジェクトが収集された時間又は場所、オブジェクトを収集するユーザに関する匿名の人口統計学的情報、オブジェクトを収集するユーザの対応オブジェクトに関する評価、等を有しても良く、販売者サーバ３００から収集した認識基準情報と関連付けられても良い。しかしながら、本開示による収集統計情報は、必ずしも上述のものに限定されず、収集中若しくはオブジェクト認識処理中に取得され販売者の広告効果の向上に役立つ如何なる情報も、任意の程度で本開示の収集統計情報に含まれ得る。
【００５５】
以上に、収集統計情報計算ユニット２３０はオブジェクトを認識し認識したオブジェクトに関する情報に基づき統計値を計算する全ての機能を実行するとして記載したが、必ずしもこれに限定されず、機能はオブジェクト認識ユニット（図示しない）及び統計値計算ユニット（図示しない）によりそれぞれ別個に実行されても良いことが明らかである。
【００５６】
次に、本開示の一実施形態によると、広告情報送信ユニット２４０は、販売者が特定オブジェクト及び販売者に提供された統計情報を参照する特定ユーザグループに関する選択情報を入力した場合（つまり、対応する選択情報が販売者サーバ３００へ送信された場合）、該特定オブジェクトに関する特定の広告情報を該特定ユーザグループのユーザ端末装置１００へ送信する機能を実行しても良い。ここで、広告情報は、文字広告、画像広告、電子クーポン等のようなあらゆる種類の広告を有しても良い。より詳細には、広告情報は、販売者により製造されても良く、広告情報転送ユニット２４０は、広告情報を販売者サーバ３００から受信し、広告情報を特定ユーザグループのユーザ端末装置１００へプッシュする機能を実行しても良い。
【００５７】
さらに、本開示の一実施形態による広告情報転送ユニット２４０は、収集が実行された、つまり認識基準情報が取得されたときの場所、時間などを用いて、特定の場所又は時間に収集を実際に実行していた特定ユーザグループのユーザ端末装置１００のみに広告情報を転送する機能を実行しても良い。
【００５８】
例えば、本開示による広告提供サーバ２００は、バーコード（又はＱＲコード（登録商標））情報を、３つのオブジェクト、つまりラーメン（Ramen）Ａ、Ｂ、Ｃに関する認識参照情報として、販売者である大型ディスカウントストアのサーバ３００から取得し、ユーザはラーメンＡ、Ｂ、Ｃに付されたバーコードを彼又は彼女の端末装置１００を用いて撮影することにより収集を実行する場合が考えられる。本開示の一実施形態によると、収集統計情報が計算され、ラーメンＡを収集するユーザが主に２０代男性であることが示されるとき、大型ディスカウントストアは、統計情報を参照し、ラーメンＡに関する広告情報を実際にラーメンＡに関する収集を実行した２０代の男性ユーザの端末装置１００にのみ提供することを決定し、又は更に、２０代の他の男性ユーザ（つまり、未だラーメンＡに関する収集を実行していないユーザ）の端末装置１００にラーメンＡに関する広告情報を提供することを決定する。収集統計情報が計算され、ラーメンＢに関する収集が主にソウル市のDogog-dong近辺にある支店で実行されることを意味するとき、例えば、大型ディスカウントストアは、統計情報を参照し、ラーメンＢに関する広告情報を実際にソウル市のDogog-dong近辺でラーメンＢに関する収集を実行したユーザの端末装置１００のみに提供することを決定し、又は更に、ラーメンＢに関する広告情報をソウル市のDogog-dong近辺に位置する他のユーザ（つまり、未だラーメンＢに関する収集を実行していないユーザ）の端末装置１００に提供することを決定する。収集統計情報が計算され、ラーメンＣに関する収集が主に１０：００ＰＭから１２：００ＰＭの間に実行されたことを意味するとき、例えば、大型ディスカウントストアは、統計情報を参照し、ラーメンＣに関する広告情報を実際に１０：００ＰＭから１２：００ＰＭの間にラーメンＣに関する収集を実行したユーザの端末装置１００のみに提供することを決定し、又は更に、ラーメンＣに関する広告情報を１０：００ＰＭから１２：００ＰＭの間に他のユーザ（つまり、未だラーメンＣに関する収集を実行していないユーザ）の端末装置１００に提供することを決定する。
【００５９】
次に、本開示の一実施形態によると、通信ユニット２５０は、広告提供サーバ２００が外部装置と通信できるようにする機能を実行しても良い。
【００６０】
最後に、本開示の一実施形態によると、制御ユニット２６０は、認識参照情報収集ユニット２１０、収集情報収集ユニット２２０、収集統計情報計算ユニット２３０、広告情報転送ユニット２４０及び通信ユニット２５０の間のデータフローを制御する機能を実行する。つまり、制御ユニット２６０は、認識参照情報収集ユニット２１０、収集情報収集ユニット２２０、収集統計情報計算ユニット２３０、広告情報転送ユニット２４０及び通信ユニット２５０を制御して、広告提供サーバ２００の外部から又はその構成要素間のデータフローを制御することにより、それらがそれら固有の機能を実行するようにする。
【００６１】
上述した本開示による実施形態は、種々のコンピュータコンポーネントを通じて実行されコンピュータ可読記録媒体に記録され得るプログラムコマンドの形式で実施され得る。コンピュータ可読記録媒体は、プログラムコマンド、データファイル、データ構造等を単独で又は組み合わせて有しても良い。コンピュータ可読記録媒体に記録されたプログラムコマンドは、特に本開示のために設計され構成されても良く、又はコンピュータソフトウェアの分野の当業者により用いられる知られているプログラムコマンドであっても良い。コンピュータ可読記録媒体は、例えば、ハードディスク、フロッピディスク及び磁気テープのような磁気媒体、ＣＤ−ＲＯＭ及びＤＶＤのような光記録媒体、フロプティカルディスクのような光磁気媒体、ＲＯＭ、ＲＡＭ、フラッシュメモリ等のようなプログラムコマンドを格納し実行するよう特に構成されるハードウェア装置を有する。プログラムコマンドは、例えば、インタプリタ等を用いてコンピュータにより実行され得る高級言語コード、並びにコンパイラにより生成される機械コードを含む。ハードウェア装置は、本開示による処理を実行するために１又は複数のソフトウェアモジュールを用いて動作するよう構成されても良い。逆も同様である。
【００６２】
以上の議論では、本開示は特定コンポーネント、実施形態及び図面のような特定事項と共に説明されたが、それらは単に本開示の理解を助けるために提供され、本開示はこれらの実施形態に限定されない。当業者は、上述の説明に種々の変更及び変化が為され得ることを理解するだろう。
【００６３】
したがって、本開示の精神は上述の実施形態に限定されず、添付の請求の範囲及びその等価又は同等の変更も、本開示の範囲内に包含される。
【符号の説明】
【００６４】
１００  ユーザ端末装置
１１０  収集実行ユニット
１２０  通信ユニット
１３０  制御ユニット
２００  広告提供サーバ
２１０  認識参照情報収集ユニット
２２０  収集情報収集ユニット
２３０  収集統計情報計算ユニット
２４０  広告情報転送ユニット
２５０  通信ユニット
２６０  制御ユニット
３００  販売者サーバ
３１０  収集ページ
３２０  自動コメント
３３０  認識されたオブジェクトの画像
４００  汎用ウェブサーバ
５００  通信ネットワーク
【図１】
2014508358.tif 000003
【図２】
2014508358.tif 000004
【図３】
2014508358.tif 000005
【図４】
2014508358.tif 000006
【図５】
2014508358.tif 000007
【国際調査報告】
2014508358.tif 000008
2014508358.tif 000009
2014508358.tif 000010
2014508358.tif 000011
2014508358.tif 000012
2014508358.tif 000013